【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
互いに異なる色を呈するｎ種（ｎは２以上の整数）のトナーを有し、
前記トナーが、コア粒子と前記コア粒子を被覆するシェル層とを有するコアシェル構造のトナーであり、
第ｎのトナーのトナー表面における離型剤の存在率をＷ１（ｎ）としたときに、下記式（１）の関係を満たし、
第ｎのトナーの前記コア粒子中における離型剤の存在率をＷ２（ｎ）としたときに、下記式（２）の関係を満たすトナーセット。
Ｗ１（ｎ−１）＜Ｗ１（ｎ）      式（１）
Ｗ２（ｎ−１）＞Ｗ２（ｎ）      式（２）
【請求項２】
前記トナーの少なくとも一種が、結着樹脂として非晶性樹脂と結晶性樹脂とを含有し、
前記結晶性樹脂の融解温度Ｔｃと前記離型剤の融解温度Ｔｗとの差の絶対値が５℃以下である請求項１に記載のトナーセット。
【請求項３】
請求項１又は請求項２に記載のトナーセットを用いて複数のトナー像を形成する複数のトナー像形成工程と、
前記複数のトナー像を記録媒体上に転写する転写工程と、
前記複数のトナー像を前記記録媒体上に定着する定着工程と、を有し、
前記記録媒体上に転写された前記複数のトナー像における前記記録媒体側からｎ番目のトナー像を構成するトナーのトナー表面における離型剤の存在率をＷ１（ｎ）としたときに、下記式（３）の関係を満たし、
前記記録媒体上に転写された前記複数のトナー像における前記記録媒体側からｎ番目のトナー像を構成するトナーのコア粒子中における離型剤の存在率をＷ２（ｎ）としたときに、下記式（４）の関係を満たす画像形成方法。
Ｗ１（ｎ−１）＜Ｗ１（ｎ）      式（３）
Ｗ２（ｎ−１）＞Ｗ２（ｎ）      式（４）
【請求項４】
請求項２に記載のトナーセットを用いて複数のトナー像を形成する複数のトナー像形成工程と、
前記複数のトナー像を記録媒体上に転写する転写工程と、
前記複数のトナー像を前記記録媒体上に定着する定着工程と、を有し、
前記記録媒体上に転写された前記複数のトナー像における前記記録媒体側からｎ番目のトナー像を構成するトナーのトナー表面における離型剤の存在率をＷ１（ｎ）としたときに、下記式（３）の関係を満たし、
前記記録媒体上に転写された前記複数のトナー像における前記記録媒体側からｎ番目のトナー像を構成するトナーのコア粒子中における離型剤の存在率をＷ２（ｎ）としたときに、下記式（４）の関係を満たし、
前記記録媒体上に転写された前記複数のトナー像における前記記録媒体側から１番目のトナー像を構成するトナーが結着樹脂として非晶性樹脂と結晶性樹脂とを含有し、前記結晶性樹脂の融解温度Ｔｃと前記離型剤の融解温度Ｔｗとの差の絶対値が５℃以下である画像形成方法。
Ｗ１（ｎ−１）＜Ｗ１（ｎ）      式（３）
Ｗ２（ｎ−１）＞Ｗ２（ｎ）      式（４）
【請求項５】
前記定着工程における定着圧力が、０．７ｋｇｆ／ｃｍ２以上２．０ｋｇｆ／ｃｍ２以下である請求項３又は請求項４に記載の画像形成方法。
【手続補正２】
【補正対象書類名】明細書
【補正対象項目名】０００７
【補正方法】変更
【補正の内容】
【０００７】
前記課題を達成するための具体的手段は以下の通りである。
即ち、請求項１に係る発明は、
互いに異なる色を呈するｎ種（ｎは２以上の整数）のトナーを有し、
前記トナーが、コア粒子と前記コア粒子を被覆するシェル層とを有するコアシェル構造のトナーであり、
第ｎのトナーのトナー表面における離型剤の存在率をＷ１（ｎ）としたときに、下記式（１）の関係を満たし、
第ｎのトナーの前記コア粒子中における離型剤の存在率をＷ２（ｎ）としたときに、下記式（２）の関係を満たすトナーセットである。
【手続補正３】
【補正対象書類名】明細書
【補正対象項目名】０００８
【補正方法】変更
【補正の内容】
【０００８】
Ｗ１（ｎ−１）＜Ｗ１（ｎ）      式（１）
Ｗ２（ｎ−１）＞Ｗ２（ｎ）      式（２）
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項２に係る発明は、
前記トナーの少なくとも一種が、結着樹脂として非晶性樹脂と結晶性樹脂とを含有し、
前記結晶性樹脂の融解温度Ｔｃと前記離型剤の融解温度Ｔｗとの差の絶対値が５℃以下である請求項１に記載のトナーセットである。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
請求項３に係る発明は、
請求項１又は請求項２に記載のトナーセットを用いて複数のトナー像を形成する複数のトナー像形成工程と、
前記複数のトナー像を記録媒体上に転写する転写工程と、
前記複数のトナー像を前記記録媒体上に定着する定着工程と、を有し、
前記記録媒体上に転写された前記複数のトナー像における前記記録媒体側からｎ番目のトナー像を構成するトナーのトナー表面における離型剤の存在率をＷ１（ｎ）としたときに、下記式（３）の関係を満たし、
前記記録媒体上に転写された前記複数のトナー像における前記記録媒体側からｎ番目のトナー像を構成するトナーのコア粒子中における離型剤の存在率をＷ２（ｎ）としたときに、下記式（４）の関係を満たす画像形成方法である。
【手続補正１０】
【補正対象書類名】明細書
【補正対象項目名】００１６
【補正方法】変更
【補正の内容】
【００１６】
請求項４に係る発明は、
請求項２に記載のトナーセットを用いて複数のトナー像を形成する複数のトナー像形成工程と、
前記複数のトナー像を記録媒体上に転写する転写工程と、
前記複数のトナー像を前記記録媒体上に定着する定着工程と、を有し、
前記記録媒体上に転写された前記複数のトナー像における前記記録媒体側からｎ番目のトナー像を構成するトナーのトナー表面における離型剤の存在率をＷ１（ｎ）としたときに、下記式（３）の関係を満たし、
前記記録媒体上に転写された前記複数のトナー像における前記記録媒体側からｎ番目のトナー像を構成するトナーのコア粒子中における離型剤の存在率をＷ２（ｎ）としたときに、下記式（４）の関係を満たし、
前記記録媒体上に転写された前記複数のトナー像における前記記録媒体側から１番目のトナー像を構成するトナーが結着樹脂として非晶性樹脂と結晶性樹脂とを含有し、前記結晶性樹脂の融解温度Ｔｃと前記離型剤の融解温度Ｔｗとの差の絶対値が５℃以下である画像形成方法である。
【手続補正１１】
【補正対象書類名】明細書
【補正対象項目名】００１８
【補正方法】変更
【補正の内容】
【００１８】
請求項５に係る発明は、
前記定着工程における定着圧力が、０．７ｋｇｆ／ｃｍ２以上２．０ｋｇｆ／ｃｍ２以下である請求項３又は請求項４に記載の画像形成方法である。
【手続補正１２】
【補正対象書類名】明細書
【補正対象項目名】００１９
【補正方法】変更
【補正の内容】
【００１９】
請求項１又は請求項２に係る発明によれば、トナー表面における離型剤の存在率が特定の関係を満たさない場合に比較して、定着画像の荒れが発生しにくいトナーセットが提供される。
請求項３〜請求項５に係る発明によれば、転写された複数のトナー像における記録媒体側からｎ番目のトナー像を構成するトナーのトナー表面における離型剤の存在率が特定の関係を満たさない場合に比較して、定着画像の荒れが発生しにくい画像形成方法が提供される。